(57)【要約】【課題】解像度が向上した新構造のプラズマディスプレイパネル及びそれを駆動するための駆動方法を提供する。【解決手段】第１基板、第１基板と離隔されて配置される第２基板、第１基板と第２基板との間に配置され、第１基板及び第２基板と共に複数個の放電セルを限定する隔壁、放電セルに配置されるＲ、Ｇ、Ｂ放電電極対、放電セル内に配置された赤色、緑色、青色発光蛍光体層、及び放電セル内にある放電ガスを備えるプラズマディスプレイパネルであり、また、リセット期間、アドレス期間及び維持期間から構成された駆動信号がＲ、Ｇ、Ｂ放電電極対に印加される駆動方法である。【選択図】図６
2006147542.tif 000002
【特許請求の範囲】
【請求項１】
第１基板と、
前記第１基板と離隔されて配置される第２基板と、
前記第１基板と第２基板との間に配置され、前記第１基板及び第２基板と共に複数個の放電セルを限定する隔壁と、
前記放電セルに配置されるＲ、Ｇ、Ｂ放電電極対と、
前記放電セル内に配置された赤色、緑色、青色発光蛍光体層と、
前記放電セル内にある放電ガスと、を備えることを特徴とするプラズマディスプレイパネル。
【請求項２】
前記Ｒ、Ｇ、Ｂ放電電極対は、前記隔壁内に配置されることを特徴とする請求項１に記載のプラズマディスプレイパネル。
【請求項３】
前記隔壁は、誘電体であることを特徴とする請求項２に記載のプラズマディスプレイパネル。
【請求項４】
前記Ｒ、Ｇ、Ｂ放電電極対は、前記放電セルを取り囲むように配置されることを特徴とする請求項１に記載のプラズマディスプレイパネル。
【請求項５】
前記放電セルで、前記Ｒ、Ｇ、Ｂ放電電極対は、前記第１基板と第２基板とが配置された方向に沿って互いに離隔されて配置されることを特徴とする請求項１に記載のプラズマディスプレイパネル。
【請求項６】
前記Ｒ、Ｇ、Ｂ放電電極対は、それぞれ前記第１基板及び第２基板と平行な一方向に延びる第１電極、及び前記第１電極が延びる方向と垂直に延びる第２電極から構成されることを特徴とする請求項１に記載のプラズマディスプレイパネル。
【請求項７】
前記青色発光蛍光体層は、前記Ｂ放電電極対に隣接して配置され、
前記赤色発光蛍光体層は、前記Ｒ放電電極対に隣接して配置され、
前記緑色発光蛍光体層は、前記Ｇ放電電極対に隣接して配置されることを特徴とする請求項１に記載のプラズマディスプレイパネル。
【請求項８】
少なくとも前記隔壁の側面は、保護層により覆われたことを特徴とする請求項１に記載のプラズマディスプレイパネル。
【請求項９】
第１基板または第２基板のうち少なくとも一つは、透明な基板であることを特徴とする請求項１に記載のプラズマディスプレイパネル。
【請求項１０】
第１基板及び第２基板と、
前記第１基板と第２基板との間に配置され、前記第１基板及び第２基板と共に複数個の放電セルを限定する隔壁と、
前記放電セルを取り囲むように前記隔壁内に配置され、一方向に延びる第１電極及び前記第１電極に垂直に延びる第２電極が対をなすＲ、Ｇ、Ｂ放電電極対と、
前記Ｒ、Ｇ、Ｂ放電電極対付近に隣接してそれぞれ配置される赤色、緑色、青色発光蛍光体層と、
前記放電セル内にある放電ガスと、を備えるプラズマディスプレイパネルに対し、
階調表示のために、単位フレームは、それぞれの階調加重値を有する複数個のサブフィールドに分れ、各サブフィールドは、放電セルを初期化させるリセット期間、ターンオンされねばならない放電セルを選択するアドレス期間、及び選択された放電セルで前記階調加重値に対応する維持放電が行われる維持期間に分れ、
前記リセット期間、アドレス期間及び維持期間から構成された駆動信号が、前記Ｒ、Ｇ、Ｂ放電電極対に印加されることを特徴とするプラズマディスプレイパネルの駆動方法。
【請求項１１】
前記リセット期間には、上昇ランプパルスと下降ランプパルスとを有するリセットパルスが印加され、前記アドレス期間には、走査パルスと表示データ信号とが印加され、前記維持期間には、維持パルスが印加されることを特徴とする請求項１０に記載のプラズマディスプレイパネルの駆動方法。
【請求項１２】
前記上昇ランプパルスは、第１電圧から第２電圧ほど上昇して最終的に第３電圧に達し、前記下降ランプパルスは、第１電圧から下降して最終的に第４電圧に達し、前記上昇ランプパルス及び前記下降ランプパルスは、前記第１電極に印加され、
前記走査パルスは、第５電圧を維持している途中で順次に第６電圧を有し、前記第１電極に印加され、前記表示データ信号は、前記走査パルスに合わせて第７電圧を有し、前記第２電極に印加され、
前記維持パルスは、正極性の第１電圧と負極性の第１電圧とを交互に有し、前記第１電極に印加されることを特徴とする請求項１１に記載のプラズマディスプレイパネルの駆動方法。
【請求項１３】
前記維持パルスは、前記正極性の第１電圧と負極性の第１電圧との間にグラウンド電圧をさらに有することを特徴とする請求項１１に記載のプラズマディスプレイパネルの駆動方法。
【請求項１４】
前記第４電圧または第６電圧の大きさは、前記第１電圧より大きいことを特徴とする請求項１３に記載のプラズマディスプレイパネルの駆動方法。
【請求項１５】
前記第４電圧または第６電圧の大きさは、前記第１電圧と同一であることを特徴とする請求項１３に記載のプラズマディスプレイパネルの駆動方法。
【請求項１６】
前記下降ランプパルスが印加される間に、前記第２電極には、正極性の第８電圧が印加されることを特徴とする請求項１５に記載のプラズマディスプレイパネルの駆動方法。
【発明の詳細な説明】
【技術分野】
【０００１】
本発明は、プラズマディスプレイパネル（ＰＤＰ）及びそれを駆動するための駆動方法に係り、特に、解像度が向上した新構造のＰＤＰ及びそれを駆動するための駆動方法に関する。
【背景技術】
【０００２】
最近、従来の陰極線管ディスプレイ装置を代替するものとして注目されているＰＤＰは、複数個の電極が形成された二つの基板間に放電ガスが封入された後で放電電圧が加えられ、これにより発生する紫外線により、所定のパターンで形成された蛍光体が励起されて所望の画像を得る装置である。
【０００３】
図１は、従来技術による３電極の面放電方式のＰＤＰの部分分離斜視図であり、図２は、図１のＰＤＰのII−II線の平面図である。以下で、図１ないし図２を参照して説明する。
【０００４】
図１のＰＤＰ １は、第１パネル１１０及び第２パネル１２０を備える。
【０００５】
前記第１パネル１１０は、第１基板１１１と、第１基板の背面で走査電極ライン１１２及び維持電極ライン１１３を覆うように配置される第１誘電体層１１５と、第１誘電体層１１５を保護するための第１保護膜１１６とを備える。走査電極ライン１１２及び維持電極ライン１１３は、対をなして維持電極対１１４を構成し、伝導度を向上させるための金属性材質のバス電極１１２ａ、１１３ａ、及びＩＴＯ（IndiumTin Oxide）のような透明な導電性材質の透明電極１１２ｂ、１１３ｂを備える。
【０００６】
前記第２パネル１２０は、第２基板１２１と、前記走査電極ライン１１２及び維持電極ライン１１３が延びる方向と直交する方向に形成されるアドレス電極ライン１２２を覆うように、第２基板の前面で第１基板の方向に配置される第２誘電体層１２３と、前記第２誘電体層１２３の上部に放電セルを区画する隔壁１２４と、前記隔壁１２４により限定される空間内に配置された蛍光体層１２５と、前記蛍光体層１２５を保護するために蛍光体層１２５の前面に形成された第２保護膜１２８と、を備える。
【０００７】
前記隔壁１２４により限定される空間である放電セルＣｅには、放電ガスが注入される。
【０００８】
図３は、図１の電極ラインの配置を簡略に示す図面である。
【０００９】
走査電極ラインＹ１，…，Ｙｎと維持電極ラインＸ１，…，Ｘｎとが平行に配置され、アドレス電極ラインＡ１ｒ，…，Ａｍｂは、走査電極ライン及び維持電極ラインに垂直に交差するように配置され、交差される領域は、放電セルを区画する。赤色、緑色、青色を表現するために、前記交差される領域は、それぞれＲ放電セルＲＣｅ、Ｇ放電セルＧＣｅ、Ｂ放電セルＢＣｅをなし、前記Ｒ放電セルＲＣｅ、Ｇ放電セルＧＣｅ、Ｂ放電セルＢＣｅが集まって一つのピクセルＰｘをなして、赤色、緑色、青色を混合した色を表現する。
【００１０】
図４は、図１のＰＤＰを駆動するための駆動装置を簡略に示すブロック図である。
【００１１】
ＰＤＰの駆動装置は、映像処理部４００、論理制御部４０２、Ｙ駆動部４０４、アドレス駆動部４０６、Ｘ駆動部４０８及びＰＤＰ １を備える。
【００１２】
映像処理部４００は、外部からの外部映像信号を入力されてアナログ信号をデジタル信号に変換し、デジタル信号を映像処理して内部映像信号として出力する。論理制御部４０２は、映像処理部４００からの内部映像信号を入力されてガンマ補正、ＡＰＣ（Automatic Power Control）段階などを経て、それぞれアドレス駆動制御信号ＳＡ、Ｙ駆動制御信号ＳＹ及びＸ駆動制御信号ＳＸを出力する。Ｙ駆動部４０４は、論理制御部４０２からのＹ駆動制御信号ＳＹを入力されて、リセット期間（図５のＰＲ）に初期化放電のために上昇ランプパルスと下降ランプパルスとを有するリセットパルス、アドレス期間（図５のＰＡ）に走査パルス、及び維持放電期間（図５のＰＳ）に維持パルスをＰＤＰ １の走査電極ラインＹ１，…，Ｙｎに印加する。アドレス駆動部４０６は、論理制御部４０２からのアドレス駆動制御信号ＳＡを入力されて、アドレス期間（図５のＰＡ）に全体のセルのうちターンオンされねばならないセルを選択するように、表示データ信号をＰＤＰ １のアドレス電極ラインＡ１ｒ，…，Ａｍｂに出力する。Ｘ駆動部４０８は、論理制御部４０２からのＸ駆動制御信号ＳＸを入力されて、リセット期間及びアドレス期間にバイアス電圧（図５のＶｂ）、維持期間に維持パルスをＰＤＰ １の維持電極ラインＸ１，…，Ｘｎに印加する。
【００１３】
図５は、図１のＰＤＰを駆動するための駆動信号を示すタイミング図である。
【００１４】
画像を表現するための単位フレームは、複数個のサブフィールドに分れ、各サブフィールドＳＦは、階調加重値によって放電が行われるように、放電セルに対して初期化放電を行うリセット期間ＰＲ、ターンオンされねばならない放電セルを選択するアドレス期間ＰＡ、及び選択された放電セルで階調加重値によって維持放電が行われる維持期間ＰＳに分れる。リセット期間ＰＲ、アドレス期間ＰＡ及び維持期間ＰＳから構成された駆動信号が、図３に示した各電極ラインに印加される。
【００１５】
リセット期間ＰＲには、走査電極ラインＹ１，…，Ｙｎに上昇ランプパルスと下降ランプパルスとが印加され、維持電極ラインＸ１，…，Ｘｎには、前記下降ランプパルスの印加時にバイアス電圧が印加され、アドレス電極ラインＡ１ｒ，…，Ａｍｂには、グラウンド電圧が印加されて、放電セルに対する初期化放電が行われる。
【００１６】
アドレス期間ＰＡには、走査電極ラインＹ１，…，Ｙｎに走査パルスが印加され、アドレス電極ラインＡ１ｒ，…，Ａｍｂには、走査パルスに合わせてターンオンされねばならない放電セルを選択する表示データ信号が印加される。
【００１７】
維持期間ＰＳには、選択された放電セルで階調加重値によって維持放電が行われて階調表示を行うように、走査電極ライン及び維持電極ラインに維持パルスが印加される。
【００１８】
一方、図１に示した３電極の面放電ＰＤＰの解像度及び発光効率を改善するための多くの研究が現在まで進められてきた。しかし、約６０μｍないし１２０μｍの狭い電極間隔（図１のＤ）を有する３電極の面放電ＰＤＰの構造下で、Ｒ、Ｇ、Ｂ放電セルが集まってなる一つのピクセルのサイズを減らすことによって高解像度を実現しようとする努力は次第に限界に達している。また、３電極の面放電構造のＰＤＰを駆動するためには、図４のように、各電極を駆動するためのそれぞれの駆動部が必要であり、これによるコストの増加は、ＰＤＰの製造時の難しさとして作用している。
【発明の開示】
【発明が解決しようとする課題】
【００１９】
本発明が解決しようとする課題は、従来の技術及びその他の色々な問題点を解決するものであって、解像度が向上した新構造のＰＤＰ及びそれを駆動するための駆動方法を提供するところにある。
【課題を解決するための手段】
【００２０】
前記課題を解決するために、 第１基板、前記第１基板と離隔されて配置される第２基板、第１基板と第２基板との間に配置され、第１基板及び第２基板と共に複数個の放電セルを限定する隔壁、放電セルに配置されるＲ、Ｇ、Ｂ放電電極対、放電セル内に配置された赤色、緑色、青色発光蛍光体層、及び放電セル内にある放電ガスを備えるＰＤＰを提供する。
【００２１】
本発明のＰＤＰにおいて、Ｒ、Ｇ、Ｂ放電電極対は、前記隔壁内に配置されることが望ましく、隔壁は、誘電体であることが望ましく、Ｒ、Ｇ、Ｂ放電電極対は、放電セルを取り囲むように配置されることが望ましく、放電セルでＲ、Ｇ、Ｂ放電電極対は、第１基板及び第２基板と平行な一方向に延びる第１電極、及び前記第１電極が延びる方向と垂直に延びる第２電極から構成されることが望ましい。
【００２２】
また、本発明のＰＤＰにおいて、青色発光蛍光体層はＢ放電電極対に、赤色発光蛍光体層はＲ放電電極対に、緑色発光蛍光体層はＧ放電電極対に隣接して配置されることが望ましく、少なくとも前記隔壁の側面は、保護層により覆われたことが望ましく、第１基板または第２基板のうち少なくとも一つは、透明な基板であることが望ましい。
【００２３】
前記課題を解決するために、第１基板及び第２基板、第１基板と第２基板との間に配置され、前記第１基板及び第２基板と共に複数個の放電セルを限定する隔壁、放電セルを取り囲むように隔壁内に配置され、一方向に延びる第１電極及び第１電極に垂直に延びる第２電極が対をなすＲ、Ｇ、Ｂ放電電極対、Ｒ、Ｇ、Ｂ放電電極対付近に隣接してそれぞれ配置される赤色、緑色、青色発光蛍光体層、及び放電セル内にある放電ガスを備えるＰＤＰに対し、階調表示のために、単位フレームは、それぞれの階調加重値を有する複数個のサブフィールドに分れ、各サブフィールドは、放電セルを初期化させるリセット期間、ターンオンされねばならない放電セルを選択するアドレス期間、及び選択された放電セルで前記階調加重値に対応する維持放電が行われる維持期間に分れ、リセット期間、アドレス期間及び維持期間から構成された駆動信号が、前記Ｒ、Ｇ、Ｂ放電電極対に印加されることを特徴とするＰＤＰの駆動方法を提供する。
【００２４】
本発明のＰＤＰの駆動方法において、リセット期間には、上昇ランプパルスと下降ランプパルスとを有するリセットパルスが印加され、アドレス期間には、走査パルスと表示データ信号とが印加され、前記維持期間には、維持パルスが印加されることが望ましい。
【００２５】
本発明のＰＤＰの駆動方法において、上昇ランプパルスは、第１電圧から第２電圧ほど上昇して最終的に第３電圧に達し、下降ランプパルスは、第１電圧から下降して最終的に第４電圧に達し、上昇ランプパルス及び下降ランプパルスは、前記第１電極に印加され、走査パルスは、第５電圧を維持している途中で順次に第６電圧を有し、第１電極に印加され、表示データ信号は、走査パルスに合わせて第７電圧を有し、第２電極に印加され、維持パルスは、正極性の第１電圧と負極性の第１電圧を交互に有し、第１電極に印加されることが望ましい。
【００２６】
このような本発明の他の特徴によれば、維持パルスは、正極性の第１電圧と負極性の第１電圧との間にグラウンド電圧をさらに有することが望ましい。
【００２７】
このような本発明の他の特徴によれば、第４電圧または第６電圧の大きさは、第１電圧より大きい。
【００２８】
このような本発明の他の特徴によれば、第４電圧または第６電圧の大きさは、前記第１電圧と同一であり、この際、下降ランプパルスが印加される間に、第２電極には、正極性の第８電圧が印加されることが望ましい。
【発明の効果】
【００２９】
本発明によれば、次のような効果を得ることができる。
【００３０】
第１に、本発明では、一つの放電セル内にＲ、Ｇ、Ｂ放電電極対が備えられて、従来と異なり、一つの放電セルが単位ピクセルを形成するので、従来に比べて解像度が３倍増加する。
【００３１】
第２に、Ｒ、Ｇ、Ｂ放電電極対が放電セル内の隔壁を取り囲むように形成されるので、放電時の放電ボリュームが３電極の面放電構造より増大して、従来にはよく使われなかった放電セル内の空間電荷も発光に寄与するなど放電効率が向上する。
【００３２】
第３に、放電ボリュームが増加して、形成されるプラズマの量が増加するので、低電圧駆動が可能になる。すなわち、高濃度のＸｅガスを放電ガスとして使用しても低電圧駆動が可能になることにより、発光効率を画期的に向上できる。
【００３３】
第４に、また、電極は、隔壁内に配置されて、第１基板または第２基板いずれも透明基板を使用できるので、一面発光でない両面発光が可能になる。
【００３４】
第５に、本発明のパネルの電極構造は、２電極構造であるので、電極に駆動信号を印加する駆動装置は、従来に比べて簡潔に構成され、これにより製造コストが低減される。
【００３５】
第６に、本発明のＰＤＰに駆動信号の印加時、電源レベルを簡素化させて放電を行うので、電源供給装置の製造コストが低減される。
【発明を実施するための最良の形態】
【００３６】
図６は、本発明によるＰＤＰを示す部分分離斜視図であり、図７は、図６のIII−III線の断面図であり、図８は、図７のIV−IV線の断面図であり、図９は、図６に示した放電セル及び放電電極対を示す配置図である。図６ないし図９を参照して、本発明の高解像度のＰＤＰの構造を説明する。
【００３７】
図６のＰＤＰ ２００は、第１基板２０１、第２基板２０２、Ｒ、Ｇ、Ｂ放電電極対２０Ｒ、２０Ｇ、２０Ｂ、蛍光体層２１０、隔壁２０５及び放電ガス（図示せず）を備える。
【００３８】
第１基板２０１及び第２基板２０２は、対向し、かつ所定の間隔ほど離隔されて配置される。透明な第１基板２０１は、ガラスのように光透過性が良好な材料で製造される。本実施形態では、第１基板２０１の方向に画像が具現されるようになっているが、本発明は、これに限定されず、第２基板２０２の方向にも画像が具現され、両面にも画像具現が可能である。もし、第２基板の方向に画像が具現されるためには、第２基板が透明な基板であることが望ましい。
【００３９】
第１基板２０１には、従来のＰＤＰの前面基板に存在した走査電極１１２及び維持電極１１３からなる維持電極対１１４と、前記維持電極対１１４を覆う第１誘電体層１１５とが存在しないので、可視光線の前方透過率が顕著に向上する。従来には、可視光透過率が６０％程度である一方、本発明の場合、可視光透過率が９０％以上となる。したがって、従来レベルの輝度で画像を具現すれば、維持電極対１１４を相対的に低電圧で駆動でき、したがって発光効率が向上する。
【００４０】
図６に示すように、隔壁２０５は、第１基板２０１と第２基板２０２との間に配置され、複数個の放電セルＣｅを区画する。このように隔壁２０５により区画される放電セルＣｅが四角形の横断面を有すれば、放電セルＣｅは、全体的にマトリックス形態に配置される。  しかし、隔壁の形態は、これに限定されるものではなく、複数の放電空間を形成できる限り多様なパターンの隔壁、例えばワッフル、デルタのような隔壁となることができる。  また、放電空間の横断面が、四角形以外にも、三角形、五角形などの多角形、または円形、楕円形などとなるように形成されうる。隔壁２０５は、放電セルＣｅ間の誤放電を防止する。
【００４１】
図８及び図９に示すように、放電セルＣｅを取り囲むようにＲ、Ｇ、Ｂ放電電極対２０Ｒ、２０Ｇ、２０Ｂが配置されている。Ｒ、Ｇ、Ｂ放電電極対２０Ｒ、２０Ｇ、２０Ｂは、互いに離隔されて配置されるが、本発明では、前後方方向（ｚ方向）に離隔されて配置される。Ｒ、Ｇ、Ｂ放電電極対は、銀、アルミニウム、銅のような導電性金属で形成される。
【００４２】
Ｂ放電電極対２０Ｂは、それぞれＢ維持電極２０６Ｂ及びＢ走査電極２０７Ｂを備える。Ｂ維持電極２０６Ｂ及びＢ走査電極２０７Ｂは、互いに垂直に延び、隔壁２０５内に配置される。また、Ｂ維持電極２０６Ｂ及びＢ走査電極２０７Ｂは、放電セルを取り囲むように形成されている。
【００４３】
Ｒ放電電極対２０Ｒは、Ｂ放電電極対２０Ｂの後方（−ｚ方向）に離隔されて配置され、それぞれＲ維持電極２０６Ｒ及びＲ走査電極２０７Ｒを備える。Ｒ維持電極２０６Ｒ及びＲ走査電極２０７Ｒは、互いに垂直に延び、隔壁２０５内に配置される。また、Ｒ維持電極２０６Ｒ及びＲ走査電極２０７Ｒは、放電セルを取り囲むように形成されている。
【００４４】
Ｇ放電電極対２０Ｇは、Ｒ放電電極対２０Ｒの後方（−ｚ方向）に離隔されて配置され、それぞれＧ維持電極２０６Ｇ及びＧ走査電極２０７Ｇを備える。Ｇ維持電極２０６Ｇ及びＧ走査電極２０７Ｇは、互いに垂直に延び、隔壁２０５内に配置される。また、Ｇ維持電極２０６Ｇ及びＧ走査電極２０７Ｇは、放電セルを取り囲むように形成されている。
【００４５】
本実施形態において、Ｒ維持電極２０６Ｒ、Ｇ維持電極２０６Ｇ、Ｂ維持電極２０６Ｂは、アドレス期間（図１２、図１３のＰＡ）にアドレス電圧（図１２のＶａ１、図１３のＶａ２）を有する表示データ信号が印加されてアドレス放電に関係し、維持期間（図１２、図１３のＰＳ）にグラウンド電圧（図１２、図１３のＶｇ）が印加されて維持放電にも関係する。一方、Ｒ走査電極２０７Ｒ、Ｇ走査電極２０７Ｇ、Ｂ走査電極２０７Ｂは、アドレス期間（図１２、図１３のＰＡ）に走査パルスが印加されてアドレス放電に関係し、維持期間（図１２、図１３のＰＳ）に維持パルスが印加されて維持放電にも関係する。
【００４６】
隔壁２０５は、プラズマ放電時、Ｒ、Ｇ、Ｂ放電電極対２０Ｒ、２０Ｇ、２０Ｂの直接通電を防止し、荷電粒子が前記電極対２０Ｒ、２０Ｇ、２０Ｂに直接衝突してそれらを損傷させることを防止し、荷電粒子を誘導して壁電荷を蓄積できる誘電体として形成されるが、このような誘電体としては、ＰｂＯ、Ｂ２Ｏ３、ＳｉＯ２などがある。
【００４７】
隔壁２０５の側面は、保護層２０９であるＭｇＯ層により覆われることが望ましい。本実施形態において、ＭｇＯ層２０９は、誘電体で形成された隔壁２０５の損傷を防止し、放電時、２次電子を多く放出する。ＭｇＯ層２０９は、主にスパッタリング、電子ビーム蒸着法により薄膜で形成される。
【００４８】
本実施形態において、蛍光体２１０が放電セルＣｅ内に配置される。各放電セルＣｅには、赤色発光蛍光体層２１０Ｒ、緑色発光蛍光体層２１０Ｇ及び青色発光蛍光体層２１０Ｂが配置される。このような蛍光体層２１０Ｒ、２１０Ｇ、２１０Ｂは、多様な位置に配置されうるが、本実施形態で蛍光体層の配置位置は次の通りである。Ｂ放電電極対２０Ｂが配置された隔壁に隣接して、青色発光蛍光体層２１０Ｂが配置される。さらに詳しく説明すれば、青色発光蛍光体層２１０Ｂは、Ｂ放電電極対２０Ｂが埋め込まれた隔壁部分の保護層２０９上に配置される。これと同様に、赤色発光蛍光体層２１０Ｒは、Ｒ放電電極対２０Ｒが埋め込まれた隔壁部分の保護層２０９上に配置される。また、緑色発光蛍光体層２１０Ｇは、Ｇ放電電極対２０Ｇが埋め込まれた隔壁部分の保護層２０９上に配置される。したがって、Ｂ放電電極対２０Ｂは、青色発光蛍光体層２１０Ｂの発光に作用し、Ｒ放電電極対２０Ｒは、赤色発光蛍光体層２１０Ｒの発光に作用し、Ｇ放電電極対２０Ｇは、緑色発光蛍光体層２１０Ｇの発光に作用する。
【００４９】
蛍光体層２１０は、各Ｒ、Ｇ、Ｂ放電電極対２０Ｒ、２０Ｇ、２０Ｂ間の放電により発散された紫外線を受けて可視光線を放出する成分を含むが、赤色発光蛍光体層は、Ｙ（Ｖ，Ｐ）Ｏ４：Ｅｕのような蛍光体を含み、緑色発光蛍光体層は、Ｚｎ２ＳｉＯ４：Ｍｎ、ＹＢＯ３：Ｔｂのような蛍光体を含み、青色発光蛍光体層は、ＢＡＭ：Ｅｕのような蛍光体を含む。
【００５０】
図７に示すように、一つの放電セルＣｅに配置された青色発光蛍光体層２１０Ｂ、赤色発光蛍光体層２１０Ｒ、緑色発光蛍光体層２１０Ｇは、互いに所定の間隔で離隔されて配置される。これは、放電セルでの誤放電を防止するためである。さらに詳しく説明すれば、Ｂ放電電極対２０Ｂによる放電で発生する紫外線の一部が、青色発光蛍光体層でない赤色発光蛍光体層または緑色発光蛍光体層に入射する場合、所望しない赤色光または緑色光を生成することがある。したがって、Ｂ放電電極対２０Ｂにより生成される紫外線は、青色発光蛍光体層２１０Ｂのみに入射されねばならず、Ｒ放電電極対２０Ｒにより生成される紫外線は、赤色発光蛍光体層２１０Ｒのみに入射されねばならず、Ｇ放電電極対２０Ｇにより生成される紫外線は、緑色発光蛍光体層２１０Ｇのみに入射されねばならない。一般的に、可視光を生成するために利用される紫外線の波長が１４７ｎｍ、１７３ｎｍであり、このような波長を有する紫外線は、約２００μｍ以上の距離を通過し難いということを考慮すれば、前記各蛍光体層間の距離Ａは、２００μｍ以上であることが望ましい。
【００５１】
放電セル２２０内には、Ｎｅ、Ｘｅ等及びそれらの混合気体のような放電ガスが封入される。本実施形態を備えた本発明の場合、放電面が増加し、放電領域が拡大されて、形成されるプラズマの量が増加するので、低電圧駆動が可能になる。したがって、本発明の場合、高濃度のＸｅガスを放電ガスとして使用しても低電圧駆動が可能になることにより、発光効率を画期的に向上できる。このような点は、従来のＰＤＰで高濃度のＸｅガスを放電ガスとして使用する場合、低電圧駆動が非常に難しくなるという問題点を解決したことである。
【００５２】
前記のような構成を有する本発明の一実施形態によるＰＤＰ ２００においては、維持電極２０６Ｂ、２０６Ｇ、２０６Ｒと走査電極２０７Ｂ、２０７Ｇ、２０７Ｒとの間にそれぞれ表示データ信号と走査パルスとが印加されることによって、アドレス放電が起き、このアドレス放電の結果により、維持放電が起きる放電セルの放電電極対が選択され、選択された放電セルの放電電極対で維持放電が行われる。この維持放電により励起された放電ガスのエネルギー順位が低くなりつつ、紫外線が放出される。そして、この紫外線が放電セルＣｅ内に塗布された蛍光体層２１０Ｂ、２１０Ｒ、２１０Ｇを励起させるが、この励起された蛍光体層２１０Ｂ、２１０Ｒ、２１０Ｇのエネルギー順位が低くなりつつ、可視光が放出され、この放出された可視光が画像を構成する。例えば、一つの放電セルで白色光を生成するためには、予めＲ、Ｇ、Ｂ放電電極対２０Ｒ、２０Ｇ、２０Ｂがいずれもアドレス放電が行われて、Ｒ、Ｇ、Ｂ放電電極対に印加される維持パルスにより維持放電が行われればよい。一方、赤色光を生成するためには、Ｒ放電電極対２０Ｒのみでアドレス放電が予め行われた後で、維持パルスの印加により維持放電が行われればよい。
【００５３】
従来には、各放電セルがＲ放電セル、Ｇ放電セル、Ｂ放電セルに分れるので、各放電セルは、サブピクセルに該当するが、本発明では、各放電セルがＲ放電セル、Ｇ放電セル、Ｂ放電セルをいずれも備えて画像を具現するための基本単位である単位ピクセルをなす。このように、本発明では、一つの放電セルが単位ピクセルを形成できるので、従来のような横断面積で有するように放電セルを区画する場合、単位ピクセルの大きさが１／３に減少し、単位ピクセルの数は、３倍増加し、結局、解像度は、３倍増加する。ただし、これを具現するためには、図３に示した従来の３電極面放電での走査電極ラインと維持電極ラインの個数がそれぞれｎ個であり、Ｒ、Ｇ、Ｂ別のアドレス電極ラインの個数が３ｍ個であれば、本実施形態による２電極の面放電構造のＰＤＰ ２００では、走査電極ラインが３ｎ個、維持電極ラインが３ｍ個必要となる。
【００５４】
一方、図１に示した従来のＰＤＰにおいては、維持電極１１３と走査電極１１２との間の維持放電が第１基板１１１付近で水平方向に起きるので、放電面積が相対的に狭小である。しかし、本実施形態によるＰＤＰ ２００の維持放電は、放電セルＣｅを限定するあらゆる側面で起きるだけでなく、放電面積が相対的に広いという長所がある。また、本実施形態において、維持放電は、放電セルＣｅの側面に沿って閉曲線で形成されている途中で、順次に放電セルＣｅの中央部に拡散される。これにより、維持放電が起きる領域の体積が増加し、また、従来にはよく使われなかった放電セル内の空間電荷も発光に寄与する。このような事項は、ＰＤＰの発光効率の向上という結果につながる。
【００５５】
図１１は、図６のＰＤＰの電極配置図を簡略に示す図面である。図１１では、電極ラインを平面で示し、パネルの第１基板から第２基板の方向にＢ放電電極対、Ｒ放電電極対及びＧ放電電極対が立体的に配置されることが示されていないが、立体的に配置されたものと仮定する。
【００５６】
ピクセルの数がｍｘｎであれば、パネルの行方向には、ｎ個のＢ走査電極ラインＹ１ｂ，…，Ｙｎｂ、ｎ個のＲ走査電極ラインＹ１ｒ，…，Ｙｎｒ、ｎ個のＧ走査電極ラインＹ１ｇ，…，Ｙｎｇを合わせた３ｎ個の走査電極ラインが配置され、パネルの列方向には、ｍ個のＢ維持電極ラインＸ１ｂ，…，Ｘｍｂ、ｍ個のＲ維持電極ラインＸ１ｒ，…，Ｘｍｒ、ｍ個のＧ維持電極ラインＸ１ｇ，…，Ｘｍｇを合わせた３ｍ個の維持電極ラインが配置される。図３に示すように、従来には、一つの放電セルがサブピクセルであって、青色、赤色、緑色放電セル（図３のＢＣｅ、ＲＣｅ、ＧＣｅ）が一つの単位ピクセルをなすが、本発明では、一つの放電セルＣｅが青色、赤色、緑色及びそれを混合した色をいずれも表現可能に立体的に構成されるので、一つの放電セルＣｅが単位ピクセルＰｘとなる。したがって、従来に比べて、単位ピクセルの数が３倍増加し、結局、解像度は３倍増加する。
【００５７】
図１０は、図６のＰＤＰを駆動するためのＰＤＰの駆動装置を簡略に示すブロック図である。
【００５８】
本発明のＰＤＰの構造は、新電極構造であって、従来と異なり２電極構造となっている。したがって、ＰＤＰを駆動するための駆動装置は、従来に比べて簡潔に構成される。
【００５９】
図１０に示すように、映像処理部１０００、論理制御部１００２、Ｙ駆動部１００４、Ｘ駆動部１００６及びＰＤＰ ２００を備える。
【００６０】
映像処理部１０００は、外部からＰＣ信号、ＤＶＤ信号、ビデオ信号、ＴＶ信号などの外部映像信号を入力されて、アナログ信号をデジタル信号に変換し、デジタル信号を映像処理して内部映像信号として出力する。内部映像信号は、それぞれ８ビットのＲ、Ｇ、Ｂ映像データ、クロック信号、垂直及び水平同期信号である。
【００６１】
論理制御部１００２は、映像処理部１０００からの内部映像信号を入力されてガンマ補正、ＡＰＣ段階などを経て、それぞれＸ駆動制御信号ＳＸ、Ｙ駆動制御信号ＳＹを出力する。
【００６２】
Ｙ駆動部１００４は、論理制御部１００２からのＹ駆動制御信号ＳＹを入力されて、リセット期間（図１２、図１３のＰＲ）では、放電セルの初期化のために上昇ランプパルス及び下降ランプパルスから構成されるリセットパルスを、アドレス期間（図１２、図１３のＰＡ）では、正極性のスキャンハイ電圧（図１２のＶｓｃｈ１、図１３のＶｓｃｈ２）が印加されている途中で、パネル２００の上下方向に沿って順次に負極性のスキャンロー電圧（図１２のＶｓｃｌ１、図１３のＶｓｃｌ２）を有する走査パルスを、維持放電期間（図１２、図１３のＰＳ）では、正極性の維持放電電圧（図１２、図１３のＶｓ）及び負極性の維持放電電圧（図１２、図１３の−Ｖｓ）を交互に有する維持パルスを、ＰＤＰ ２００のＲ、Ｇ、Ｂ走査電極ラインＹ１ｂ，…，Ｙｎｇに印加する。
【００６３】
Ｘ駆動部１００６は、論理制御部１００２からのＸ駆動制御信号ＳＸを入力されて、リセット期間では、グラウンド電圧（図１２のＶｇ）またはバイアス電圧（図１３のＶｘ）を、アドレス期間では、前記走査パルスに合わせてターンオンされねばならないセルを選択するように、アドレス電圧（図１２のＶａ１、図１３のＶａ２）を有する表示データ信号を、維持期間では、グラウンド電圧（図１２、図１３のＶｇ）を、それぞれＲ、Ｇ、Ｂ維持電極ラインＸ１ｂ，…，Ｘｍｇに印加する。
【００６４】
図１２は、図６のＰＤＰを駆動するための駆動信号の一実施形態を示すタイミング図である。
【００６５】
一つのサブフィールドＳＦは、リセット期間ＰＲ、アドレス期間ＰＡ及び維持期間ＰＳから構成される。
【００６６】
まず、全体の放電セルを初期化するリセット期間ＰＳでは、具体的には、放電セル内のＲ、Ｇ、Ｂ放電電極対付近の壁電荷状態を初期化するために、Ｒ、Ｇ、Ｂ放電電極対のうちＲ、Ｇ、Ｂ走査電極ラインＹ１ｂ，…，Ｙｎｇに上昇ランプパルス及び下降ランプパルスから構成されたリセットパルスが印加される。上昇ランプパルスは、維持放電電圧である第１電圧Ｖｓから上昇電圧である第２電圧Ｖｓｅｔほど上昇して、最終的に上昇最高電圧である第３電圧Ｖｓｅｔ＋Ｖｓに達し、下降ランプパルスは、第１電圧Ｖｓから下降して、最終的に下降最低電圧である第４電圧Ｖｎｆ１に達する。Ｒ、Ｇ、Ｂ放電電極対のうちＲ、Ｇ、Ｂ維持電極ラインＸ１ｂ，…，Ｘｍｇには、グラウンド電圧Ｖｇが印加される。前記上昇ランプパルスの印加時に、Ｒ、Ｇ、Ｂ走査電極付近には、それぞれ負極性の壁電荷が蓄積され始め、Ｒ、Ｇ、Ｂ維持電極付近には、相対的にそれぞれ正極性の壁電荷が蓄積され始め、Ｒ、Ｇ、Ｂ走査電極とＲ、Ｇ、Ｂ維持電極との間に微弱な放電がそれぞれ発生する。下降ランプパルスの印加時に、Ｒ、Ｇ、Ｂ走査電極付近には、それぞれ負極性の壁電荷が消去され始め、Ｒ、Ｇ、Ｂ維持電極付近でもそれぞれ正極性の壁電荷が消去され始め、Ｒ、Ｇ、Ｂ走査電極とＲ、Ｇ、Ｂ維持電極との間に微弱な放電がそれぞれ発生する。リセット期間の終了時に、Ｒ、Ｇ、Ｂ走査電極付近には、少量の負極性の壁電荷が蓄積され、Ｒ、Ｇ、Ｂ維持電極付近には、少量の正極性の壁電荷が蓄積される。
【００６７】
アドレス期間ＰＡでは、ターンオンされねばならない放電セルを選択するように、具体的には、ターンオンされねばならない放電セル内のＲ、Ｇ、Ｂ放電電極対を選択するように、走査パルスと表示データ信号とが印加される。走査パルスは、スキャンハイ電圧である第５電圧Ｖｓｃｈ１を維持している途中でスキャンロー電圧である第６電圧Ｖｓｃｌ１を有し、順次にＲ、Ｇ、Ｂ走査電極ラインＹ１ｂ，…，Ｙｎｇに印加される。表示データ信号は、アドレス電圧である第７電圧Ｖａを有し、前記走査パルスに合わせてターンオンされねばならない放電セルを選択するように、さらに詳しくは、放電セル内のＲ、Ｇ、Ｂ放電電極対をそれぞれ選択するように、Ｒ、Ｇ、Ｂ維持電極ラインＸ１ｂ，…，Ｘｍｇに印加される。
【００６８】
リセット期間に放電セル内のＲ、Ｇ、Ｂ走査電極付近に予め蓄積された負極性の壁電荷、Ｒ、Ｇ、Ｂ維持電極付近に予め蓄積された正極性の壁電荷、アドレス期間にＲ、Ｇ、Ｂ走査電極に印加される負極性の第６電圧Ｖｓｃｌ１、Ｒ、Ｇ、Ｂ維持電極に印加される正極性の第７電圧Ｖａ１により、Ｒ、Ｇ、Ｂ走査電極とＲ、Ｇ、Ｂ維持電極との間でアドレス放電が行われる。前記アドレス放電により、Ｒ、Ｇ、Ｂ走査電極付近には、正極性の壁電荷が蓄積され、Ｒ、Ｇ、Ｂ維持電極付近には、負極性の壁電荷が蓄積される。
【００６９】
維持期間ＰＳでは、前記選択された放電セルで、さらに詳しくは、前記選択されたＲ、Ｇ、Ｂ放電電極対で維持放電が行われるように維持パルスが印加される。維持パルスは、正極性の第１電圧Ｖｓ及び負極性の第１電圧−Ｖｓを有する。急激な電圧変化による消費電力を低減するために、維持パルスは、正極性の第１電圧Ｖｓと負極性の第１電圧−Ｖｓとの間に、中間電圧であるグラウンド電圧Ｖｇをさらに有することができる。維持パルスは、Ｒ、Ｇ、Ｂ走査電極ラインＹ１ｂ，…，Ｙｎｇに印加され、Ｒ、Ｇ、Ｂ維持電極ラインＸ１ｂ，…，Ｘｍｇには、グラウンド電圧Ｖｇが印加される。
【００７０】
前記維持パルスに正極性の第１電圧Ｖｓが印加される場合には、Ｒ、Ｇ、Ｂ走査電極付近に予め蓄積された正極性の壁電荷、Ｒ、Ｇ、Ｂ維持電極付近に予め蓄積された負極性の壁電荷、Ｒ、Ｇ、Ｂ走査電極に印加された正極性の第１電圧Ｖｓ、Ｒ、Ｇ、Ｂ維持電極に印加されたグラウンド電圧Ｖｇにより、維持放電が行われる。前記維持放電により、Ｒ、Ｇ、Ｂ走査電極付近には、負極性の壁電荷が蓄積され、Ｒ、Ｇ、Ｂ維持電極付近には、正極性の壁電荷が蓄積される。
【００７１】
前記維持パルスに負極性の第１電圧−Ｖｓが印加される場合には、Ｒ、Ｇ、Ｂ走査電極付近に予め蓄積された負極性の壁電荷、Ｒ、Ｇ、Ｂ維持電極付近に予め蓄積された正極性の壁電荷、Ｒ、Ｇ、Ｂ走査電極に印加された負極性の第１電圧−Ｖｓ、Ｒ、Ｇ、Ｂ維持電極に印加されたグラウンド電圧Ｖｇにより、維持放電が行われる。前記維持放電により、Ｒ、Ｇ、Ｂ走査電極付近には、正極性の壁電荷が蓄積され、Ｒ、Ｇ、Ｂ維持電極付近には、負極性の壁電荷が蓄積される。
【００７２】
このような維持放電は、サブフィールド別の階調加重値による維持パルスの印加により発生し続ける。
【００７３】
一方、図１２に示した駆動信号では、負極性の第１電圧−Ｖｓより負極性の第４電圧Ｖｎｆ１または負極性の第６電圧Ｖｓｃｌ１がさらに大きいことを特徴としている。本発明のような２電極構造で、各電極に印加される駆動信号により放電開始電圧に達するためには、負極性の第４電圧Ｖｎｆ１及び負極性の第６電圧Ｖｓｃｌ１の大きさは、負極性の第１電圧−Ｖｓより大きくなければならない。この際、負極性の第４電圧Ｖｎｆ１または負極性の第６電圧Ｖｓｃｌ１の大きさは、電源レベルの簡単化のために相等しい。一方、Ｒ、Ｇ、Ｂ走査電極には、リセットパルス、走査パルス及び維持パルスが印加され、Ｒ、Ｇ、Ｂ維持電極には、表示データ信号のみが印加されるので、図１０に示したＸ駆動部は、従来に比べて、簡単に具現可能であるという長所がある。
【００７４】
図１３は、図６のＰＤＰを駆動するための駆動信号の他の実施形態を示すタイミング図である。図１３の駆動信号は、図１２の駆動信号と類似しているが、ただし各電極に印加される電源レベルで差がある。以下では、図１３に印加される駆動信号を中心に説明し、放電セル内の壁電荷状態は、図１２で説明したものにより省略する。
【００７５】
まず、全体の放電セルを初期化するリセット期間ＰＳでは、放電セル内のＲ、Ｇ、Ｂ放電電極対付近の壁電荷状態を初期化するように、Ｒ、Ｇ、Ｂ走査電極ラインＹ１ｂ，…，Ｙｎｇに上昇ランプパルス及び下降ランプパルスから構成されたリセットパルスが印加される。上昇ランプパルスは、第１電圧Ｖｓから第２電圧Ｖｓｅｔほど上昇して、最終的に第３電圧Ｖｓｅｔ＋Ｖｓに達し、下降ランプパルスは、第１電圧Ｖｓから下降して、最終的に第４電圧Ｖｎｆ２に達する。一方、Ｒ、Ｇ、Ｂ維持電極ラインＸ１ｂ，…，Ｘｍｇには、前記下降ランプパルスの印加時から正極性のバイアス電圧である第８電圧Ｖｘが印加される。
【００７６】
アドレス期間ＰＡでは、ターンオンされねばならない放電セルを選択するように、具体的には、ターンオンされねばならない放電セル内のＲ、Ｇ、Ｂ放電電極対を選択するように、走査パルスと表示データ信号とが印加される。走査パルスは、第５電圧Ｖｓｃｈ２を維持している途中で順次に第６電圧Ｖｓｃｌ２が印加されるものであって、Ｒ、Ｇ、Ｂ走査電極ラインＹ１ｂ，…，Ｙｎｇに順次に印加される。表示データ信号は、前記走査パルスに合わせて７電圧Ｖａ２を有し、Ｒ、Ｇ、Ｂ維持電極ラインＸ１ｂ，…，Ｘｍｇに印加される。
【００７７】
維持期間ＰＳでは、前記選択された放電セルで、さらに詳しくは、前記選択されたＲ、Ｇ、Ｂ放電電極対で維持放電が行われるように、維持パルスが印加される。維持パルスは、正極性の第１電圧Ｖｓ及び負極性の第１電圧−Ｖｓを有する。急激な電圧変化による消費電力を低減するために、維持パルスは、正極性の第１電圧Ｖｓと負極性の第１電圧−Ｖｓとの間に、中間電圧であるグラウンド電圧Ｖｇをさらに有することができる。維持パルスは、Ｒ、Ｇ、Ｂ走査電極ラインＹ１ｂ，…，Ｙｎｇに印加され、Ｒ、Ｇ、Ｂ維持電極ラインＸ１ｂ，…，Ｘｍｇには、グラウンド電圧Ｖｇが印加される。
【００７８】
一方、図１２と異なり、図１３では、下降ランプパルスの印加時からＲ、Ｇ、Ｂ維持電極ラインＸ１ｂ，…，Ｘｍｇに第８電圧Ｖｘが印加されている。放電開始電圧を考慮すれば、図１２と異なり、負極性の第４電圧Ｖｎｆ２及び負極性の第６電圧Ｖｓｃｌ２の大きさは、負極性の第１電圧−Ｖｓより大きい必要はないので、電源レベルの簡素化のために、負極性の第４電圧Ｖｎｆ２、第６電圧Ｖｓｃｌ２及び負極性の第１電圧の大きさは、いずれも同一であることが望ましい。一方、図１２に比べて減少した第４電圧Ｖｎｆ２の大きさを補償するために、第７電圧Ｖａ２は、図１２の第７電圧Ｖａ１より大きく印加することが望ましい。前記のように、図１３の駆動信号は、図１２に比べて電源レベルをさらに簡素化させることによって、各駆動部に電源を供給する電源供給装置（図示せず）の製造コストが低減する。
【００７９】
本発明は、図面に示した実施形態を参考に説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００８０】
本発明は、プラズマディスプレイパネルに関連の技術分野に適用可能である。
【図面の簡単な説明】
【００８１】
【図１】従来の技術による３電極の面放電方式のＰＤＰの部分分離斜視図である。
【図２】図１のＰＤＰをII−II線の平面図である。
【図３】図１の電極配置を簡略に示す図面である。
【図４】図１のＰＤＰを駆動するための駆動装置を簡略に示すブロック図である。
【図５】図１のＰＤＰを駆動するための駆動信号を示すタイミング図である。
【図６】本発明によるＰＤＰを示す部分分離斜視図である。
【図７】図６のIII−III線の断面図である。
【図８】図７のIV−IV線の断面図である。
【図９】図６に示した放電セル及び放電電極対を示す配置図である。
【図１０】図６のＰＤＰを駆動するためのＰＤＰの駆動装置を簡略に示すブロック図である。
【図１１】図６のＰＤＰの電極配置を簡略に示す図面である。
【図１２】図６のＰＤＰを駆動するための駆動信号の一実施形態を示すタイミング図である。
【図１３】図６のＰＤＰを駆動するための駆動信号の他の実施形態を示すタイミング図である。
【符号の説明】
【００８２】
２０Ｂ    Ｂ放電電極対
２０Ｒ    Ｒ放電電極対
２０Ｇ    Ｇ放電電極対
２００    ＰＤＰ
２０１    第１基板
２０２    第２基板
２０５    隔壁
２０６Ｂ    Ｂ維持電極
２０６Ｒ    Ｒ維持電極
２０６Ｇ    Ｇ維持電極
２０７Ｂ    Ｂ走査電極
２０７Ｒ    Ｒ走査電極
２０７Ｇ    Ｇ走査電極
２０９    保護層
２１０Ｂ    青色発光蛍光体層
２１０Ｒ    赤色発光蛍光体層
２１０Ｇ    緑色発光蛍光体層
【図１】
2006147542.tif 000003
【図２】
2006147542.tif 000004
【図３】
2006147542.tif 000005
【図４】
2006147542.tif 000006
【図５】
2006147542.tif 000007
【図６】
2006147542.tif 000008
【図７】
2006147542.tif 000009
【図８】
2006147542.tif 000010
【図９】
2006147542.tif 000011
【図１０】
2006147542.tif 000012
【図１１】
2006147542.tif 000013
【図１２】
2006147542.tif 000014
【図１３】
2006147542.tif 000015